(57)【要約】【課題】水中に人工的に設置した設置物によって形成された領域内に侵入した水生生物が当該領域から上方に移動することを抑制又は防止できる水中設置システム及び水中設置物を提供する。【解決手段】本発明に係る水中設置システム１００は、水底に載置される載置部２０、載置部から連続して設けられ水生生物が侵入可能な開口部３６を設けた半閉空間３７を載置部の上方に形成する包囲部３０、及び載置部及び包囲部の少なくともいずれか一つに設けられ、半閉空間への液体の流れ込みを規制する規制部４０を備える水中設置物１０と、水中設置物と接続され、半閉空間に気体を供給する気体供給部５０と、を有する。【選択図】図３
2019097549.tif 000002
【特許請求の範囲】
【請求項１】
水底に載置される載置部、
前記載置部から連続して設けられ水生生物が侵入可能な開口部を設けた半閉空間を前記載置部の上方に形成する包囲部、及び
前記載置部及び前記包囲部の少なくともいずれか一つに設けられ、前記半閉空間への液体の流れ込みを規制する規制部を備える水中設置物と、
前記水中設置物と接続され、前記半閉空間に気体を供給する気体供給部と、を有する水中設置システム。
【請求項２】
前記包囲部は、前記載置部から水面に向かって延在する第１壁部と、
前記第１壁部における水面側の端部から少なくとも水平方向に延在する第２壁部と、
前記第２壁部における前記第１壁部とは逆側の端部から水底に向かって延在し、前記第１壁部と共に前記開口部を形成する第３壁部と、を備え、
前記規制部は、前記載置部から前記水面に向かって延在し、前記第３壁部と間隔を空けるように形成された壁面を備える、請求項１に記載の水中設置システム。
【請求項３】
前記包囲部は、前記載置部から水面に向かって延在する第１壁部と、
前記第１壁部における水面側の端部から少なくとも水平方向に延在する第２壁部と、
前記第２壁部における前記第１壁部とは逆側の端部から水底に向かって延在し、前記載置部と共に前記開口部を形成する第３壁部と、を備え、
前記載置部は、水底に沿って長尺状に形成され、
前記半閉空間には前記第１壁部から前記第３壁部に延在する内側壁部が前記載置部の長手方向に複数設けられ、
複数の前記内側壁部のうち少なくとも一つは、前記第２壁部との間に隙間を形成する、請求項１に記載の水中設置システム。
【請求項４】
複数の前記内側壁部は、前記長手方向において所定間隔毎に前記第２壁部との間に前記隙間を形成する、請求項３に記載の水中設置システム。
【請求項５】
複数の前記内側壁部のうち、前記長手方向において隣接する前記内側壁部は、前記第２壁部との間に隙間を形成した前記内側壁部よりも、前記第２壁部との間に隙間を設けない前記内側壁部の方が、設置状態における下側端部がより下側に位置する、請求項３又は４に記載の水中設置システム。
【請求項６】
水底に載置される載置部、及び
前記載置部から連続して設けられ水生生物が侵入可能な開口部を設けた半閉空間を前記載置部の上方に形成する包囲部を備える水中設置物と、
前記水中設置物と接続され、前記半閉空間に気体を供給する気体供給部と、を有する水中設置システム。
【請求項７】
水底に載置される前記載置部、
前記載置部から連続して設けられ水中の水生生物が進入可能な開口部を設けた前記半閉空間を形成する前記包囲部、及び
前記載置部及び前記包囲部の少なくともいずれか一つに設けられ、前記半閉空間への液体の流れ込みを規制する規制部を備える、請求項１〜５のいずれか１項に記載の前記水中設置システムに用いられる水中設置物。
【請求項８】
水底に載置される前記載置部、及び
前記載置部から連続して設けられ水中の水生生物が進入可能な開口部を設けた前記半閉空間を前記載置部の上方に形成する前記包囲部を備える、請求項６に記載の前記水中設置システムに用いられる水中設置物。
【発明の詳細な説明】
【技術分野】
【０００１】
本発明は、水中設置システム及び水中設置物に関する。
【背景技術】
【０００２】
漁業では、魚貝類等の水生生物を食品や工業製品に利用する目的で養殖が行われている。養殖の際には水生生物を港湾等に意図的におびきよせ、捕獲等したりするためにブロック等の人工的な構造物を海中に設置することが行われる（特許文献１参照）。
【先行技術文献】
【特許文献】
【０００３】
【特許文献１】特開平９−１０７号公報
【発明の概要】
【発明が解決しようとする課題】
【０００４】
本発明者らは、特許文献１のような設置物を海底に設置した場合において養殖エリア等から海洋生物（水生生物）が移動し、別の場所へと移動してしまうことを抑制又は防止する技術について鋭意検討している。本明細書では、上記のような水中に設置する構造物を水中設置物と呼ぶ。水中設置物は、海等の水深に比べて高さがそれほどなく、水生生物が水中設置物の領域内に侵入しても上方に移動した上で養殖エリア等の範囲ではない別の領域に移動する（逃げられてしまう）おそれがある。
【０００５】
そこで本発明は、水中に人工的に設置した設置物によって形成された領域内に侵入した水生生物が当該領域から上方に移動することを抑制又は防止できる水中設置システム及び水中設置物を提供することを目的とする。
【課題を解決するための手段】
【０００６】
上記目的を達成する本発明の一態様に係る水中設置システムは、水底に載置される載置部、載置部から連続して設けられ水生生物が侵入可能な開口部を設けた半閉空間を載置部の上方に形成する包囲部、及び載置部及び包囲部の少なくともいずれか一つに設けられ、半閉空間への液体の流れ込みを規制する規制部を備える水中設置物と、水中設置物と接続され、半閉空間に気体を供給する気体供給部と、を有する。また、本発明の一態様は、上記水中設置システムに用いられる水中設置物である。
【０００７】
また、本発明の一態様に係る水中設置システムは、水底に載置される載置部、及び載置部から連続して設けられ水生生物が侵入可能な開口部を設けた半閉空間を載置部の上方に形成する包囲部を備える水中設置物と、水中設置物と接続され、半閉空間に気体を供給する気体供給部と、を有する。また、本発明の一態様に係る水中設置物は、上記水中設置システムに用いられ、上記載置部及び包囲部を備える。
【発明の効果】
【０００８】
本発明に係る水中設置システム及び水中設置物は、上記のように構成しているため、水生生物が設置物に形成された載置部から上方に移動することを抑制又は防止できる。
【図面の簡単な説明】
【０００９】
【図１】本発明の第１実施形態に係る水中設置システムを設置した漁港を示す斜視図である。
【図２】本発明の第１実施形態に係る水中設置物を示す斜視図である。
【図３】図２の正面図である。
【図４】図２の水中設置物を切断した状態を示す斜視図である。
【図５】本発明の第２実施形態に係る水中設置物を示す斜視図である。
【図６】図５の水中設置物を切断した状態を示す斜視図である。
【図７】図５の水中設置物の半閉空間について示す図である。
【図８】図７を傾けた状態での半閉空間について示す図である。
【図９】比較例に係る水中設置物を図８と同様に傾けた状態を示す図である。
【発明を実施するための形態】
【００１０】
（第１実施形態）
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。また、以下では説明の便宜のために図示した直交座標系を用いて説明を行う。ｘは、後述する水中設置物の奥行き方向を示す。ｙは、奥行き方向ｘと直交する水平方向を示す。ｚは、水中設置物の高さ方向を示す。
【００１１】
図１〜図４は本発明の第１実施形態に係る水中設置システムの説明に供する図である。本実施形態に係る水中設置システム１００は、ナマコ等の水生生物の養殖のために図１に示すような漁港の湾部と海洋との境界に位置する開口部付近に水中設置物１０を設置する。水中設置物１０によって、漁港の湾部を海洋との間に境界を設け、漁港を養殖場所として利用することができる。例えば、養殖場所でナマコを養殖する場合、図１に示す採苗器Ｓにてナマコを採苗し、数週間後、採苗器Ｓを養殖領域内に配置した蛇籠Ｊ上に設置する。養殖領域内には蛇籠Ｊの他にナマコ等を成育させるドーム状のブロックＢＬが設置され、ナマコはブロックＢＬ等に移動したりして、成長する。そして、翌年にはエアーリフトブイで浮上させた蛇籠Ｊを曳航し、漁場にナマコの種苗を放流する。本実施形態に係る水中設置システム１００は、上記したナマコ等の養殖場所を形成する際に用いられる。
【００１２】
本実施形態に係る水中設置システム１００は、図１〜４を参照して概説すれば、水底に載置される載置部２０、半閉空間３７を形成する包囲部３０、半閉空間３７への液体の流れ込みを規制する規制部４０を備えた水中設置物１０を有する。また、水中設置システム１００は、水中設置物１０と接続され、半閉空間３７に気体を供給する気体供給部５０を有する。以下、詳述する。
【００１３】
（水中設置物）
水中設置物１０は、コンクリート等で形成される構造物である。載置部２０は、水中設置物１０の下部に設けられ、漁港等の開口部付近の海底に載置される。載置部２０は、図２において直線的な形状に構成しているが、海底等の水底に安定して設置できれば、具体的な形状はこれに限定されず、曲線形状、又は直線と曲線とを含む形状によって構成してもよい。また、水中設置物１０は、載置部２０によって平坦な略水平面に設置することができるが、半閉空間３７に液体の充填されていない空間を形成できれば、上記に限定されない。水中設置物１０は、平坦な略水平面以外にも傾斜した面や表面に凸凹のある不規則な面にも設置できる。
【００１４】
包囲部３０は、図２、３に示すように載置部２０から連続して設けられ、水生生物が侵入可能な開口部３６を設けた半閉空間３７を載置部２０の上方に形成する。包囲部３０は、載置部２０から水面に向かって延在する第１壁部３１と、第１壁部３１における水面側の端部から少なくとも水平方向ｙに延在する第２壁部３２と、第２壁部３２における第１壁部３１とは逆側の端部から水底に向かって延在し、第１壁部３１と共に開口部３６を形成する第３壁部３３と、を備える。また、包囲部３０は、第１壁部３１、第２壁部３２、及び第３壁部３３が延在する奥行き方向ｘにおける両端部に位置し、開口部３６を形成する側壁部３４を備える。
【００１５】
第１壁部３１は、水中設置物１０の水平方向ｙにおいて規制部４０と対向するように位置する。第１壁部３１は、図２の高さ方向ｚにおいて肉厚が一定となってはいないが、半閉空間３７に侵入した水生生物が半閉空間３７から逃げることを困難にできれば、肉厚は一定であってもよい。
【００１６】
第２壁部３２は、水中設置物１０の半閉空間３７における上部壁面を形成する。ここで、本明細書において第２壁部３２が「少なくとも水平方向に延在する」とは、包囲部３０によって半閉空間３７が形成できればよく、第２壁部３２は図３において水平方向ｙに延在しているが、これに限定されない。第２壁部３２は、上記以外にも第１壁部３１の上部端から斜めに傾斜した方向に延在してもよい。
【００１７】
第３壁部３３は、第２壁部３２における第１壁部３１とは逆側の端部から水底に向かって延在し、第１壁部３１と共に開口部３６を形成する。第３壁部３３は、第１壁部３１と第２壁部３２によって半閉空間３７を形成することから、図３に示す第２壁部３２の左側端部から水底に向かうように延在する。第３壁部３３は、図３において第２壁部３２の端部から左斜め下方に向かって略４５度の方向に延在するように構成している。しかし、半閉空間３７を形成できれば、延在方向は図３に限定されず、上記以外にも例えば高さ方向ｚの下方に向かって垂直に延在してもよい。
【００１８】
側壁部３４は、図２に示すように奥行き方向ｘにおける両端部に形成される壁面であり、開口部３６を形成する。側壁部３４は、本実施形態において第２壁部３２の奥行き方向ｘにおける端部から第３壁部３３の下側端部の位置まで延在して形成している。側壁部３４には、図３に示すように後述する気体供給部５０の配管５２を取り付ける開口穴３５が設けられる。
【００１９】
半閉空間３７は、包囲部３０において水生生物が侵入しうる部位を開口部３６として設け、その他の部位（第１壁部３１、第２壁部３２、第３壁部３３、側壁部３４）が周囲から隔てられた空間を意味する。本実施形態において半閉空間３７は、図３に示す二点鎖線で示す境界Ｂまで海水等が存在し、それよりも上部は気体供給部５０によって空気等の気体を充填して構成している。
【００２０】
規制部４０は、載置部２０の水平方向ｙにおいて第１壁部３１と反対側に設けられ、半閉空間３７への液体の流れ込みを規制する。規制部４０は、図３に示すように載置部２０から水面に向かって延在し、第３壁部３３の下側端部と間隔を空けるように形成された壁面を備える。規制部４０の壁面は、図３に示すように載置部２０において第１壁部２１が接続する端部とは逆側の端部から略上方に向かって延在する。図３において規制部４０の上側の端部は、包囲部３０の第３壁部３３の下側端部と略同等の高さとなるように構成している。
【００２１】
図２、３の矢印で示す水平方向ｙに向かって海流が発生した際に海底の砂が巻き上げられて水中設置物１０の半閉空間３７の内部に侵入する事態が起こり得る。これについて規制部４０は、海流に対して障壁として存在するかのように機能することで、図３における第３壁部３３よりも左側から砂等が載置部２０に堆積することを抑制できる。
【００２２】
（気体供給部）
気体供給部５０は、水中設置物１０と接続され、半閉空間３７に気体を供給する。気体供給部５０は、図１に示すように漁港における開口部付近の陸地に設置される。気体供給部５０は、半閉空間３７に供給する気体を発生させる発生部５１と、発生部５１で生じた気体を半閉空間３７に導く配管５２と、を備える。
【００２３】
発生部５１は、本実施形態においてエアーポンプにて構成している。発生部５１にて発生した空気は配管５２等を介して水中設置物１０の半閉空間３７に導かれる。配管５２は側壁部３４に設けた開口穴３５に取り付けられる。配管５２には不図示のシール部材が設けられ、周囲からの海水等の液体が半閉空間３７に侵入することを防止する。配管５２は、断面が中空円形状のＳＵＳ等によって構成しているが、発生部５１で生じた気体を半閉空間３７にまで導ければ、具体的な構成はこれに限定されない。また、図１に示すように漁港の開口部付近を複数の水中設置物１０によって塞ぐ場合、隣接する水中設置物１０同士の開口穴３５には不図示の逆止弁が取り付けられる。これにより、半閉空間３７の上部に空気等からなる気体層が形成され、ナマコ等が上部に移動し、養殖場所から逃げることを防止する。
【００２４】
以上のように第１実施形態に係る水中設置システム１００は、水底に設置される載置部２０、載置部２０から連続して設けられ水生生物が侵入可能な開口部３６を設けた半閉空間３７を載置部２０の上方に形成する包囲部３０、及び載置部２０に設けられ、半閉空間３７への液体の流れ込みを規制する規制部４０を備える水中設置物１０と、水中設置物１０と接続され、半閉空間３７に気体を供給する気体供給部５０と、を有する。
【００２５】
ナマコ等の水生生物は、あくまで水中を移動し、空気等のみからなる液体のない空間を移動することができない。そのため、上記のように載置部２０の上方に形成した半閉空間３７に気体供給部５０から気体を供給することによって、半閉空間３７に気体層を形成し、ナマコ等の水生生物が載置部２０から上方に移動することを抑制又は防止できる。よって、漁港の開口部のような場所に水中設置システム１００を設置することで、ナマコ等の水生生物が水中設置物１０を設置した領域から上方へと移動し、これによって他の領域へと移動することを抑制又は防止できる。
【００２６】
また、包囲部３０は載置部２０から水面に向かって延在する第１壁部３１と、第１壁部３１における水面側の端部から少なくとも水平方向ｙに向かって延在する第２壁部３２と、第２壁部３２における第１壁部３１と接続された逆側の端部から水底に向かって延在し、載置部２０と共に開口部３６を形成する第３壁部３３と、を備える。また、規制部４０は、載置部２０から水面に向かって延在し、第３壁部３３と間隔を空けるように形成された壁面を備える。
【００２７】
そのため、上述のように水中における略水平方向ｙに水流が生じた際に第３壁部３３の外方から液体が流れ込み、半閉空間３７内に液体が侵入して気体層３８が減少又は消滅することを防止できる。また、規制部４０の壁面によって、砂等が載置部２０に堆積することをも防止できる。
【００２８】
（第２実施形態）
図５〜図８は、第２実施形態に係る水中設置システムについての説明に供する図である。本実施形態は第１実施形態と比べて水中設置物における規制部の構成が特に異なるため、規制部について主に説明し、気体供給部等のその他の共通する構成についての説明を省略する。
【００２９】
第２実施形態に係る水中設置物１０ａは、図５、６に示すように水底に設置される載置部２０と、半閉空間３７ａを形成する包囲部３０ａと、包囲部３０ａに設けられ半閉空間３７ａへの液体の流れ込みを規制する規制部４０ａと、を備える。載置部２０、包囲部３０ａの第１壁部３１〜開口穴３５、及び気体供給部５０は第１実施形態と同様であるため、詳細な説明を省略する。
【００３０】
載置部２０は、図５に示すように奥行き方向ｘに断面が一様な長尺状に構成される。規制部４０ａは、図７に示すように半閉空間３７ａの長手方向（奥行き方向ｘに相当）において所定間隔で設けられる内側壁部４１、４２を備える。
【００３１】
内側壁部４１、４２は、包囲部３０の半閉空間３７ａにおいて海水等の液体が奥行き方向ｘに流通することを阻害するように形成される。内側壁部４１、４２は、本実施形態において第１壁部３１から第３壁部３３に向かってほぼ水平方向ｙに沿うように延在する。しかし、半閉空間３７ａにおける液体の流通を阻害できれば、内側壁部の延在方向は上記に限定されない。内側壁部は、図７に示すように上方の端部が第２壁部３２と接続される第１内側壁部４１と、第２壁部３２との間に隙間４３を形成した第２内側壁部４２と、を備える。
【００３２】
第１内側壁部４１及び第２内側壁部４２は、奥行き方向ｘにおいて気体供給部５０によって半閉空間３７ａに供給された気体を流通させる流路を形成する。第１内側壁部４１は、図７に示すように下側端部４４が第２内側壁部４２の下側端部４５よりも高さ方向ｚに高い位置となるように形成される。
【００３３】
第１内側壁部４１及び第２内側壁部４２は、不等沈下等によって水中設置物１０ａが図８に示すように水中で姿勢を崩し、それにより半閉空間３７ａに進入したナマコ等が逃げ出さないように半閉空間３７ａに流入する液体の流通を阻害する。第１内側壁部４１及び第２壁部３２との間に隙間４３を設けた第２内側壁部４２は、所定の間隔毎に設けられ、図７、８では奥行き方向ｘに交互に設けている。
【００３４】
半閉空間に規制部を設けない比較例に係る水中設置物の場合、図９に示すように不等沈下によって水中設置物の姿勢が傾くと、半閉空間には高さの低い方から海水等が容易に侵入して高さの高い方へと行き渡り、半閉空間の気体層は容易に減少又は消滅してしまう。
【００３５】
本実施形態に係る水中設置物１０ａでは、第２内側壁部４２と第２壁部３２との間に隙間４３を設け、第１内側壁部４１の下側端部４４が第２内側壁部４２の下側端部４５より高く形成することによって、流体の流路が奥行き方向ｘにジグザグに形成される。そのため、不等沈下等が発生しても図８に示すように第１内側壁部４１及び第２内側壁部４２によって半閉空間３７ａに液体が流通することを抑制し、気体層が減少又は消滅することを抑制できる。
【００３６】
以上のように、第２実施形態に係る水中設置物１０ａでは載置部２０が水底に沿って長尺状に形成され、半閉空間３７ａには第１壁部３１から第３壁部３３に延在する内側壁部４１、４２が長手方向に複数設けられる。複数の内側壁部４１、４２のうち、内側壁部４２は、第２壁部３２との間に隙間４３を設けるように構成している。これにより、不等沈下等により水中設置物１０ａが傾いて半閉空間３７ａに液体が侵入したとしても、内側壁部４１、４２が半閉空間３７ａにおける液体の流通を抑制する。特に、内側壁部４２は液体が流通しうる隙間４３が第２壁部３２との間に位置するため、海水等を半閉空間３７ａに流通しにくくでき、半閉空間３７ａにおける気体層が減少することを抑制できる。
【００３７】
また、内側壁部４２は、奥行き方向ｘにおいて内側壁部４１と交互に設けられる。そのため、半閉空間３７ａ内に液体が侵入し、隙間４３を通過してもその隣には隙間４３のない内側壁部４１が配置され、液体が容易に半閉空間３７ａの長手方向に流通することを抑制することができる。
【００３８】
また、内側壁部４１、４２のうち、第２壁部３２との間に隙間４３を設けない内側壁部４１は第２壁部３２との間に隙間４３を備える内側壁部４２の下側端部４５よりも下側端部４４がより下方に位置する。これにより、半閉空間３７ａにおいて液体が比較的高い水深まで存在していても気体が流通しうるスペースを用意しやすくして気体層を減少しにくくすることができ、水生生物が上方に移動することを抑制又は防止できる。
【００３９】
なお、本実施形態は上述した実施形態にのみ限定されず、特許請求の範囲において種々の変更が可能である。上記では第１実施形態において水中設置物１０が載置部２０から水面に向かって延在する規制部４０を備え、第２実施形態において水中設置物１０ａが半閉空間３７ａにおいて第１壁部３１から第３壁部３３に向かって延在する内側壁部４１、４２を備えると説明した。しかし、之に限定されず、規制部４０及び規制部４０ａをいずれも備える場合も本実施形態に含まれる。
【００４０】
また、上記以外にも水中設置物及び水中設置システムが規制部４０又は規制部４０ａを有さない（図５の外観及び図４の内部構造参照）場合も本発明の一実施形態に含まれる。また、開口穴３５は、側壁部３４に設けると説明したが、気体供給部５０の配管５２を取り付けて半閉空間３７に液体の充填されていない空間を形成できればこれに限定されない。開口穴３５は、上記以外にも第１壁部３１、第２壁部３２、又は第３壁部３３の少なくともいずれか一つに設けてもよい。
【符号の説明】
【００４１】
１０  水中設置物、
２０  載置部、
３０  包囲部、
３１  第１壁部、
３２  第２壁部、
３３  第３壁部、
３６  開口部、
３７  半閉空間、
３８  空気層、
４０  規制部、
４１  第１内側壁部、
４２  第２内側壁部、
５０  気体供給部、
１００  水中設置システム。
【図１】
2019097549.tif 000003
【図２】
2019097549.tif 000004
【図３】
2019097549.tif 000005
【図４】
2019097549.tif 000006
【図５】
2019097549.tif 000007
【図６】
2019097549.tif 000008
【図７】
2019097549.tif 000009
【図８】
2019097549.tif 000010
【図９】
2019097549.tif 000011